【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
画像形成装置に用いられる画像加熱装置であって、
記録材上の画像を加熱するためのニップ部を形成する一対の回転体と、
前記ニップ部に記録材を案内する案内部材と、
前記案内部材が記録材を案内する第１位置と、前記案内部材が少なくとも記録材の搬送路の一部を塞ぐ第２位置との間で前記案内部材が移動可能となるような軸に対して、前記案内部材を回転可能に支持する支持機構と、
前記案内部材を前記第１位置にロックするロック機構と、を備え、
前記ロック機構は、前記軸の軸線方向に前記案内部材をスライド移動させることでロックが解除されることを特徴とする画像加熱装置。
【請求項２】
前記案内部材がスライド移動する方向は、前記画像形成装置の前側から奥側に向かう方向であることを特徴とする請求項１に記載の画像加熱装置。
【請求項３】
前記案内部材のスライド方向とは反対方向に前記案内部材を付勢する付勢部材を備えたことを特徴とする請求項１又は２に記載の画像加熱装置。
【請求項４】
前記案内部材の回転を前記第１位置で停止させる第１停止部と、前記案内部材の回転を前記第２位置で停止させる第２停止部と、を備えたことを特徴とする請求項１ないし３の何れか１項に記載の画像加熱装置。
【請求項５】
前記案内部材を前記第１停止部又は前記第２停止部に付勢する力を付与するトグル機構を備えたことを特徴とする請求項４に記載の画像加熱装置。
【請求項６】
前記ロック機構は、前記第２位置では前記案内部材をロックしないことを特徴とする請求項１ないし５の何れか１項に記載の画像加熱装置。
【請求項７】
画像加熱装置であって、
記録材上の画像を加熱するためのニップ部を形成する一対の回転体と、
前記ニップ部に記録材を案内する案内部材と、
前記案内部材が記録材を案内する第１位置と、前記画像加熱装置のメンテナンスが実行される第２位置との間で前記案内部材が移動可能となるような軸に対して、前記案内部材を回転可能に支持する支持機構と、
前記案内部材を前記第１位置にロックするロック機構と、を備え、
前記ロック機構は、前記軸の軸線方向に前記案内部材をスライド移動させることでロックが解除されることを特徴とする画像加熱装置。
【請求項８】
画像加熱装置であって、
記録材上の画像を加熱するためのニップ部を形成する一対の回転体と、
前記ニップ部に記録材を案内する案内部材と、
前記案内部材が記録材を案内する第１位置と、前記画像加熱装置から前記一対の回転体を取り外す第２位置との間で前記案内部材が移動可能となるような軸に対して、前記案内部材を回転可能に支持する支持機構と、
前記第１位置から第２位置への前記案内部材の移動をロックするロック機構と、を備え、
前記ロック機構は、前記軸の軸線方向に前記案内部材をスライド移動させることでロックが解除されることを特徴とする画像加熱装置。
【手続補正２】
【補正対象書類名】明細書
【補正対象項目名】発明の名称
【補正方法】変更
【補正の内容】
【発明の名称】画像加熱装置
【手続補正３】
【補正対象書類名】明細書
【補正対象項目名】０００１
【補正方法】変更
【補正の内容】
【０００１】
本発明は、記録材上の画像を加熱する画像加熱装置に関する。画像加熱装置は、例えば電子写真方式などの複写機、プリンタ、ファクシミリ、及びこれらの機能を複数備えた複合機等の画像形成装置において用いられ得る。
【手続補正４】
【補正対象書類名】明細書
【補正対象項目名】００１０
【補正方法】変更
【補正の内容】
【００１０】
上記の目的を達成するための本発明に係る画像加熱装置は、画像形成装置に用いられる画像加熱装置であって、記録材上の画像を加熱するためのニップ部を形成する一対の回転体と、前記ニップ部に記録材を案内する案内部材と、前記案内部材が記録材を案内する第１位置と、前記案内部材が少なくとも記録材の搬送路の一部を塞ぐ第２位置との間で前記案内部材が移動可能となるような軸に対して、前記案内部材を回転可能に支持する支持機構と、前記案内部材を前記第１位置にロックするロック機構と、を備え、前記ロック機構は、前記軸の軸線方向に前記案内部材をスライド移動させることでロックが解除されることを特徴とする。
また、本発明に係る画像加熱装置は、画像加熱装置であって、記録材上の画像を加熱するためのニップ部を形成する一対の回転体と、前記ニップ部に記録材を案内する案内部材と、前記案内部材が記録材を案内する第１位置と、前記画像加熱装置のメンテナンスが実行される第２位置との間で前記案内部材が移動可能となるような軸に対して、前記案内部材を回転可能に支持する支持機構と、前記案内部材を前記第１位置にロックするロック機構と、を備え、前記ロック機構は、前記軸の軸線方向に前記案内部材をスライド移動させることでロックが解除されることを特徴とする。
また、本発明に係る画像加熱装置は、画像加熱装置であって、記録材上の画像を加熱するためのニップ部を形成する一対の回転体と、前記ニップ部に記録材を案内する案内部材と、前記案内部材が記録材を案内する第１位置と、前記画像加熱装置から前記一対の回転体を取り外す第２位置との間で前記案内部材が移動可能となるような軸に対して、前記案内部材を回転可能に支持する支持機構と、前記第１位置から第２位置への前記案内部材の移動をロックするロック機構と、を備え、前記ロック機構は、前記軸の軸線方向に前記案内部材をスライド移動させることでロックが解除されることを特徴とする。
【手続補正５】
【補正対象書類名】明細書
【補正対象項目名】００２２
【補正方法】変更
【補正の内容】
【００２２】
本実施例の定着装置１００は、ツインベルトニップ方式、電磁誘導加熱（ＩＨ）方式、オイルレス定着方式の画像加熱装置である。この定着装置１００は、加熱ユニットとしての定着ベルト１０５を含む上側ベルトアセンブリＡと、加圧ユニットとしての加圧ベルト１２０を含む下側ベルトアセンブリＢを有する。本実施例においては、上記の定着ベルト１０５を含む上側ベルトアセンブリＡと加圧ベルト１２０を含む下側ベルトアセンブリＢとが記録材上のトナー像をニップ部にて定着する定着器である。また、定着ベルト１０５及び加圧ベルト１２０が一対の回転体に相当する。
【手続補正６】
【補正対象書類名】明細書
【補正対象項目名】００５３
【補正方法】変更
【補正の内容】
【００５３】
そして、所定の１枚または連続複数枚のプリントジョブにおける記録材Ｓの搬送が終了したら、ＣＰＵ１０は定着ベルト１０５の加熱、温調制御を終了してＩＨヒータ１７０への電力供給をＯＦＦにする＜Ｓ７−００４＞。また、駆動モータ３０１をＯＦＦにして定着ベルト１０５及び加圧ベルト１２０の回転を停止させる＜Ｓ７−００５＞。
【手続補正７】
【補正対象書類名】明細書
【補正対象項目名】００６０
【補正方法】変更
【補正の内容】
【００６０】
ガイド機構６００は、記録材Ｓを受けて、即ち、搬送される記録材Ｓと接してニップ部Ｎに向けて記録材Ｓを案内する案内部材６００Ａを有する。案内部材６００Ａは、下側ベルトアセンブリＢよりも記録材搬送方向Ｄの上流側において定着フレーム１０１に固定して配設されている支持部材６２１に対して図１の実線示の第１姿勢（第１位置）Ｑと２点鎖線示の第２姿勢（第２位置）Ｒとを取り得るように可動に配設されている。
【手続補正８】
【補正対象書類名】明細書
【補正対象項目名】００７１
【補正方法】変更
【補正の内容】
【００７１】
そして、案内部材６００Ａは、図３の（ａ）に示すように、付勢部材６２５によるトグル作用により点線部Ｚ−Ｚを境界に回動前の所定の倒れ込み状態である第１姿勢Ｑに支持部材６２１の第１受け部（第１停止部）６２１−１で受け止められて保持されるようになっている。
【手続補正９】
【補正対象書類名】明細書
【補正対象項目名】００７２
【補正方法】変更
【補正の内容】
【００７２】
また、案内部材６００Ａは、図３の（ｂ）に示すように、付勢部材６２５によるトグル作用により点線部Ｚ−Ｚを境界に回動後の所定の起立状態である第２姿勢Ｒに支持部材６２１の第２受け部（第２停止部）６２１−２で受け止められて自立して保持されるようになっている。